(57)【要約】【課題】洗浄ノズル内の流路の切り換えを確実に安定して行うことができ、かつ、コンパクトな構成で必要な洗浄水圧を保ち、高圧の洗浄水によって洗浄することができる食器洗い乾燥機を実現する。【解決手段】被洗浄物４をセットする下かご５および上かご６と、洗浄水を加圧する洗浄ポンプ８と、洗浄水を噴射する洗浄槽３内底部に設けた第１の洗浄ノズル１２と、下かご５と上かご６との間に設けた第２の洗浄ノズル１３と、第１、第２の洗浄ノズル１２、１３へ洗浄水を供給する第１、第２の洗浄流路１０、１１と、第１、第２の洗浄流路を切り換える第１の弁体９とを備え、第２の洗浄ノズル１３は、複数の第１、第２の噴射口２５、２６をそれぞれ備えた第１、第２の内部流路２１、２２と、各内部流路を切り換える第２の弁体２７を内蔵したもので、上下のかごを選択的に洗浄でき、洗浄性能が向上するものである。【選択図】図１
2012213542.tif 000002
【特許請求の範囲】
【請求項１】
被洗浄物を収容する洗浄槽と、前記洗浄槽内で被洗浄物をセットする下かご及び上かごと、洗浄水を加圧する洗浄ポンプと、前記洗浄ポンプで加圧された洗浄水を噴射する前記洗浄槽内底部に設けられた第１の洗浄ノズルと、前記下かごと上かごとの間に設けられた第２の洗浄ノズルと、前記洗浄ポンプと前記第１の洗浄ノズルを連通する第１の洗浄流路と、前記洗浄ポンプと前記第２の洗浄ノズルを連通する第２の洗浄流路と、前記洗浄ポンプから吐出した洗浄水の流れを、前記第１の洗浄流路と第２の洗浄流路へ切り換える第１の弁体とを備え、前記第２の洗浄ノズルは、複数の噴射口をそれぞれ備えた第１の内部流路と第２の内部流路を有し、前記第１の内部流路と第２の内部流路を切り換える第２の弁体を内蔵した食器洗い乾燥機。
【請求項２】
前記第１の内部流路と第２の内部流路に備えた噴射口のいずれかを、該内部流路の下方に設けた請求項１に記載の食器洗い乾燥機。
【請求項３】
前記第２の洗浄流路は、洗浄水を噴射する噴射口を有する請求項１または２に記載の食器洗い乾燥機。
【請求項４】
前記第２の洗浄流路は、前記下かごと上かごとの間に配置される上部水平流路を有し、前記上部水平流路に前記第２の洗浄ノズルとは反対側に噴射口を備えた請求項１〜３のいずれか１項に記載の食器洗い乾燥機。
【請求項５】
前記第１の内部流路と第２の内部流路は、第２の洗浄ノズル内で、上下に分割して設けられた請求項１〜４のいずれか１項に記載の食器洗い乾燥機。
【請求項６】
前記第２の洗浄ノズルは、上方へ噴射する洗浄水の圧を高く、下方へ噴射する洗浄水の流量を大きく設定した請求項１〜５のいずれか１項に記載の食器洗い乾燥機。
【請求項７】
前記第１の内部流路と第２の内部流路のうち、上方に噴射口を設けた内部流路に洗浄水が流れたことを検知できる検知手段を備え、前記検知手段の情報を元に、前記洗浄ポンプの動作、停止を行う制御手段を備えた請求項１〜６のいずれか１項に記載の食器洗い乾燥機。
【発明の詳細な説明】
【技術分野】
【０００１】
本発明は、洗浄水を用いて食器等を洗浄する食器洗い乾燥機に関するもので、特に、洗浄ノズルへ送られる洗浄水の流路を切り換える機能を備えた食器洗い乾燥機に関するものである。
【背景技術】
【０００２】
従来、この種の食器洗い乾燥機は、図１０に示すような流路切り換え構成を備えたものであった（例えば、特許文献１参照）。以下、その構成について説明する。図に示すように、回転ノズル１０１を、回転軸１０２を中心として４つの部屋１０３ａ〜１０３ｄに区分し、この各部屋１０３ａ〜１０３ｄの先端部には推進穴１０４を設け、ポンプ吐出部とノズル回転軸部との中間に一定のストロークを持つ円筒状ナット１０５を設け、この円筒状ナット１０５の内部には底面にら線状の傾斜を有する浮子１０６を吐出水力で回転、かつ上下動自在に設けることで、各部屋１０３ａ〜１０３ｄを切り換えることができ、広範囲に洗浄水を噴射し、従来と同等の洗浄ポンプ性能でも、洗浄性能が向上するようになっていた。
【０００３】
また、上かごと下かごの洗浄パターンに関しても、洗浄槽内底部に設けられた洗浄ノズルとは別に、下かごと上かごの間に第２の洗浄ノズルを設けた構成のものが提案されていたが、図１１に示すような構成であった（例えば、特許文献２参照）。この構成のものは、第２の洗浄ノズル２０２からの噴流を、直接上かご２０３の被洗浄物に噴射させることができ、上かご２０３における洗浄性能が向上する。また、第１の洗浄ノズル２０１と第２の洗浄ノズル２０２を切り換える切換手段２０５を有し、交互に噴射すれば、洗浄水の噴射力を落とさず洗浄できるので、更に、洗浄性能が向上するものである。
【先行技術文献】
【特許文献】
【０００４】
【特許文献１】実開昭４９−１１３４７１号公報
【特許文献２】特開２００１−３２１３１６号公報
【発明の概要】
【発明が解決しようとする課題】
【０００５】
しかしながら、上記特許文献１のような従来の食器洗い乾燥機では、各部屋１０３ａ〜１０３ｄへの洗浄水の流路を切り換える浮子１０６が回転ノズル１０１の外部に設けられているため、流路の切り換え時、ポンプを停止した時、回転ノズル１０１と浮子１０６の位置関係がずれてしまい、流路の切り換えが安定しないという課題があった。
【０００６】
更に、上記特許文献２のような従来の食器洗い乾燥機では、下かご２０４に設置される大きな被洗浄物に対して、第１の洗浄ノズル２０１の噴流は下かご２０４の下方から上向きに噴射されるので、大きな被洗浄物の上方部は、洗浄水の噴流が届きにくくなる。また、被洗浄物についた汚れは、洗浄水とともに下方に落ちていくため、上向きの噴流の場合、噴流により取れた汚れが、被洗浄物に再付着するという課題もあった。
【０００７】
本発明は、前記従来の課題を解決するもので、洗浄水の流路の切り換えシール性にも優れ、洗浄ノズル内の流路の切り換えを確実に安定して行うことができ、更に、下かごの被洗浄物に対して、上方からも洗浄水を噴射することを可能とすることで、広範囲にかつ高密度に洗浄水を噴射することができ、洗浄性能を高めることができる食器洗い乾燥機を提供することを目的とする。
【課題を解決するための手段】
【０００８】
前記従来の課題を解決するために、本発明の食器洗い乾燥機は、被洗浄物を収容する洗浄槽と、前記洗浄槽内で被洗浄物をセットする下かご及び上かごと、洗浄水を加圧する洗浄ポンプと、前記洗浄ポンプで加圧された洗浄水を噴射する前記洗浄槽内底部に設けられた第１の洗浄ノズルと、前記下かごと上かごとの間に設けられた第２の洗浄ノズルと、前記洗浄ポンプと前記第１の洗浄ノズルを連通する第１の洗浄流路と、前記洗浄ポンプと前記第２の洗浄ノズルを連通する第２の洗浄流路と、前記洗浄ポンプから吐出した洗浄水の流れを、前記第１の洗浄流路と第２の洗浄流路へ切り換える第１の弁体とを備え、前記第２の洗浄ノズルは、複数の噴射口をそれぞれ備えた第１の内部流路と第２の内部流路を有し、前記第１の内部流路と第２の内部流路を切り換える第２の弁体を内蔵したものである。
【０００９】
これによって、洗浄水の流路の切り換えシール性にも優れ、洗浄ノズル内の流路の切り換えを確実に安定して行うことができ、かつ、噴射方向を増やすために噴射口の数を増やしても開口面積が大きくなることがないので、コンパクトな構成で必要な洗浄水圧を保ち、高圧の洗浄水による洗浄が可能となるので、洗浄性能を高めることができるものである。
【発明の効果】
【００１０】
本発明の食器洗い乾燥機は、第２の洗浄ノズルに、洗浄水の流路を切り換える弁体を内蔵することで、洗浄水の流路の切り換えシール性にも優れ、洗浄ノズル内の流路の切り換えを確実に安定して行うことができ、かつ、噴射方向を増やすために噴射口の数を増やしても開口面積が大きくなることがないので、コンパクトな構成で必要な洗浄水圧を保ち、高圧の洗浄水によって洗浄することが可能となり、洗浄性能を飛躍的に向上させることができる。
【図面の簡単な説明】
【００１１】
【図１】本発明の実施の形態１の食器洗い乾燥機の主要断面図
【図２】同食器洗い乾燥機の要部の一部を切り欠いた平面図
【図３】同食器洗い乾燥機の要部平面図
【図４】同食器洗い乾燥機の要部断面図
【図５】同食器洗い乾燥機の要部断面図
【図６】同実施の形態１の他の食器洗い乾燥機の主要断面図
【図７】同実施の形態１の他の食器洗い乾燥機の主要断面図
【図８】同実施の形態１の他の食器洗い乾燥機の要部断面図
【図９】本発明の実施の形態２の食器洗い乾燥機の主要断面図
【図１０】従来の食器洗い乾燥機の主要断面図
【図１１】従来の他の食器洗い乾燥機の主要断面図
【発明を実施するための形態】
【００１２】
第１の発明は、被洗浄物を収容する洗浄槽と、前記洗浄槽内で被洗浄物をセットする下かご及び上かごと、洗浄水を加圧する洗浄ポンプと、前記洗浄ポンプで加圧された洗浄水を噴射する前記洗浄槽内底部に設けられた第１の洗浄ノズルと、前記下かごと上かごとの間に設けられた第２の洗浄ノズルと、前記洗浄ポンプと前記第１の洗浄ノズルを連通する第１の洗浄流路と、前記洗浄ポンプと前記第２の洗浄ノズルを連通する第２の洗浄流路と、前記洗浄ポンプから吐出した洗浄水の流れを、前記第１の洗浄流路と第２の洗浄流路へ切り換える第１の弁体とを備え、前記第２の洗浄ノズルは、複数の噴射口をそれぞれ備えた第１の内部流路と第２の内部流路を有し、前記第１の内部流路と第２の内部流路を切り換える第２の弁体を内蔵したもので、洗浄水の流路の切り換えシール性にも優れ、ノズル
内の流路の切り換えを確実に安定して行うことができ、かつ、噴射方向を増やすために噴射口の数を増やしても開口面積が大きくなることがないので、コンパクトな構成で必要な洗浄水圧を保つことができる。コンパクトな構成で必要な洗浄水圧を保ち、高圧の洗浄水によって洗浄することができる。
【００１３】
第２の発明は、前記第１の内部流路と第２の内部流路に備えた噴射口のいずれかを、該内部流路の下方に設けたことにより、下かごの被洗浄物に対して、上方からも洗浄水を噴射することができるので、洗浄性能を高めることができる。
【００１４】
第３の発明は、前記第２の洗浄流路は、洗浄水を噴射する噴射口を有する構成とすることで、下かごの被洗浄物に対して、上方、側面からも洗浄水を噴射することができるので、多種多様な被洗浄物に対して、効果的に洗浄することができる。
【００１５】
第４の発明は、前記第２の洗浄流路は、前記下かごと上かごとの間に配置される上部水平流路を有し、前記上部水平流路に前記第２の洗浄ノズルとは反対側に噴射口を備えたことで、第２の洗浄ノズルからの噴流が、第２の洗浄流路により阻害され被洗浄物に噴射できない位置に、噴射口を設けることができ、特に下かごの被洗浄物に対して、均一に効率よく洗浄水を噴射し、洗浄性能を向上することができる。
【００１６】
第５の発明は、前記第１の内部流路と第２の内部流路は、第２の洗浄ノズル内で、上下に分割して設けられた構成とすることで、洗浄ノズルとしての流路幅を狭くすることができ、洗浄ノズルに残留する洗浄水を少なくすることができる。また、洗浄ノズルから噴射した洗浄水をすばやく回収することができるので、洗浄ポンプのエアがみ余裕度を大きくすることができ、節水効果と洗浄性能の向上を図れる。
【００１７】
第６の発明は、前記第２の洗浄ノズルは、上方へ噴射する洗浄水の圧を高く、下方へ噴射する洗浄水の流量を大きく設定したことで、上かごにセットされた被洗浄物に対しては、汚れを十分に取れる機械力を与えることで、また、下かごにセットされた被洗浄物に対しては、低圧でも大流量を噴射することで、下かごのすすぎ性能を向上させることで、効果的な洗浄を行うことができる。
【００１８】
第７の発明は、前記第１の内部流路と第２の内部流路のうち、上方に噴射口を設けた内部流路に洗浄水が流れたことを検知できる検知手段を備え、前記検知手段の情報を元に、前記洗浄ポンプの動作、停止を行う制御手段を備えた構成とすることで、上かごのみもしくは下かごのみを集中して洗浄することができる。したがって、効率よく被洗浄物を洗浄することができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における食器洗い乾燥機の主要断面図、図２は要部の一部を切り欠いた平面図、図３は要部平面図である。図において、食器洗い乾燥機本体１には、扉２等で開閉可能な洗浄槽３を設け、食器等の被洗浄物４は食器かごにセットされ、洗浄槽３内に収容する。食器かごは、図のように、下かご５と上かご６に分かれて上下にセットされる。給水弁７は洗浄槽３に洗浄水を供給する。さらに、洗浄ポンプ８は洗浄水を加圧して第１の弁体９に供給し、第１の弁体９と連通した第１の洗浄流路１０と第２の洗浄流路１１は、第１の弁体９により流路を切り換えられる。洗浄水は、第１の洗浄流路１０を経由して、洗浄槽３の内底部で下かご５の下方に設けられた第１の洗浄ノズル１２へ、第２の洗浄流路１１を経由して、下かご５と上かご６の間で上かご６に近い位置
に設けられた第２の洗浄ノズル１３に供給され、それぞれ洗浄ノズルの噴射口より洗浄水を噴射することで被洗浄物４の洗浄を行なう。
【００２１】
洗浄槽３内で第１の洗浄ノズル１２より下方には、洗浄ポンプ８の吸い込み側と連通した排水口１４を有し、この排水口１４には残さいを収集する排水フィルター１５と残さいフィルター１６を備えている。また、洗浄槽３の内底部に加熱手段１７を設け、洗浄槽３の外底部に洗浄槽３の温度を検知する温度センサ１８を設けている。
【００２２】
第２の洗浄ノズル１３は、第２の洗浄流路１１の末端に設けられノズルの回転を支持する回転軸受１９に勘合して自在に回転でき、内部に流路を備えた回転軸２０を有している。また、第２の洗浄ノズル１３は、回転軸２０を中心にして対称に複数の流路を備えており、図１、図２では、第１の内部流路２１と第２の内部流路２２をそれぞれ一対形成しており、回転軸２０の流路とは、第１の内部流路入口２３と第２の内部流路入口２４を介して、それぞれ連通している。第１の内部流路２１と第２の内部流路２２は、それぞれ第１の噴射口２５と第２の噴射口２６を有している。第１の噴射口２５と第２の噴射口２６は、どちらか一方が流路の上方に、他方が流路の下方に設けられ、本実施の形態では第２の噴射口２６が流路の下方に設けられている。
【００２３】
図１と図３に示したように、第２の弁体２７は、開口部２８と閉口部２９を中心に対して対称にそれぞれ一対有しており、回転軸２０内に回転可能かつ上下方向に移動可能に設けられている。回転軸２０の下部に開口して設けた軸開口部３０は、洗浄ポンプ８の吐出側と連通しているので、第２の洗浄ノズル１３に連続的に洗浄水を供給できるようになっている。
【００２４】
上記構成において、食器洗い乾燥機の基本動作について説明する。食器等の被洗浄物４を下かご５、上かご６にセットして洗浄槽３に収納し、洗剤を投入した後、扉２により食器洗い乾燥機本体１の開口部を閉塞し、運転を開始する。被洗浄物４の汚れを落とす洗浄工程、付着した洗剤や残さいを流すすすぎ工程、そして被洗浄物４に付着している水滴を乾燥させる乾燥工程の順に実行する。
【００２５】
まず、給水弁７を動作して所定量の洗浄水を洗浄槽３に給水し、つづいて洗浄ポンプ８により洗浄水を加圧し、第１の洗浄ノズル１２と第２の洗浄ノズル１３から洗浄水を噴射する。この際、洗浄槽３内に設けたシーズヒータ等の加熱手段１７は通電されており、洗浄水を加熱しながら洗浄工程は行われる。また、温度センサ１８は洗浄槽３の洗浄水の温度を検知しており、所定温度以上になると加熱手段１７への通電を停止する。洗浄水の循環は、排水フィルター１５と残さいフィルター１６を通過し、洗浄ポンプ８に吸い込まれ、洗浄ポンプ８より、第１の弁体９で切り換えられた流路、ここでは、第１の洗浄流路１０に向けて供給される。洗浄水は、第１の洗浄流路１０を経て、第１の洗浄ノズル１２より主に下かご５の被洗浄物４に対して噴出される。
【００２６】
次に、第１の弁体９により第２の洗浄流路１１に切り換えると、洗浄ポンプ８からの洗浄水は第２の洗浄流路１１内を洗浄槽３の上方に送水され、回転軸２０の軸開口部３０から回転軸２０内に流入する。流入した洗浄水により第２の弁体２７は動作を始め、第１の内部流路入口２３と第２の弁体２７の開口部２８が一致し、つまり、第２の内部流路入口２４を第２の弁体２７の閉口部２９で流路を閉塞する。第１の内部流路入口２３から流入した洗浄水は第１の内部流路２１に供給され、その上方に設けられた第１の噴射口２５から、主に上かご６の被洗浄物４に対して噴出される。所定の時間動作した後、第２の弁体２７により、第２の洗浄ノズル１３内に設けられた第２の内部流路２２に流路を切り換える。洗浄水は、第２の内部流路２２の下方に設けられた第２の噴射口２６から、下かご５の被洗浄物４に向けて上方から噴射される。
【００２７】
第２の弁体２７は、第２の洗浄ノズル１３の流路を切り換えると、第１の内部流路入口２３もしくは第２の内部流路入口２４と密着した状態で、第２の洗浄ノズル１３とともに回転するものである。
【００２８】
第１の噴射口２５と第２の噴射口２６は、洗浄水を噴射することにより、その反力で第２の洗浄ノズル１３を回転するように、垂直方向ではなく斜め方向に向けて洗浄水を噴射するよう構成してある。そして、第１の噴射口２５から噴射した時と第２の噴射口２６から噴射した時とで第２の洗浄ノズル１３が逆方向に回転するよう、第１の噴射口２５と第２の噴射口２６とで上記の斜め方向を逆向きに設定してある。
【００２９】
また、所定の時間動作した後、第１の弁体９が切り換わり、再度、第１の洗浄ノズル１２から洗浄水を噴射する。この切換動作を所定時間繰り返す。
【００３０】
ここでは、第１の噴射口２５を第２の洗浄ノズル１３の上方から噴射するパターンで説明したが、第２の噴射口２６が上方に噴射してもよい。また、第１の噴射口２５及び第２の噴射口２６は、第１の内部流路２１及び第２の内部流路２２に対して、上側下側の片側方向に全て設置せずに上方と下方に向けた噴射口が混在していてもよい。このようにして、噴射口の開口面積を無用に増やすことなく、噴射方向を増やすことができる。また、洗浄流路もしくは洗浄ノズルの切り換えの順番は、上記で限定したものでなく、順不動でもよい。また、被洗浄物４の量やサイズが大きくなるように下かご５を設定する場合、下かご５への噴射時間を長くしてもよい。
【００３１】
また、以下に説明するように、ここでは、第１の弁体９と第２の弁体２７による流路の切り換えを洗浄ポンプ８の駆動停止動作で行う構成としているが、モータ等の小型のアクチュエータで切換動作を行ってもよい。
【００３２】
洗浄ポンプ８の駆動と停止の動作で流路を切り換える場合、図３〜図５で示したように、第１の弁体９と第２の弁体２７はほぼ同じ構成であり、上下にそれぞれ凸状の係合部を有し、内部流路入口側に上部係合部３１との勘合部を、回転軸２０側に下部係合部３２との勘合部をそれぞれ有し、洗浄ポンプ８の駆動時には上部係合部３１と相対する勘合部で回動し、洗浄ポンプ８の停止時には下部係合部３２と相対する勘合部で回動することで、各弁体と、各内部流路入口との相対的位置関係を常に一致させる。
【００３３】
この際の第１の弁体９及び第２の弁体２７の構成と切り換え動作、作用について説明する。各弁体は、上部係合部３１を除く上面を略平面形状としており、各流路入口を構成する弁体との相対する面Ａも平面形状としている。洗浄ポンプ８を運転した場合、弁体は、洗浄水の圧力によって上部係合部３１の傾斜に従って略直動および回転を伴った動作で上昇し、図５で示したように、所定の流路入口が開口する（図中斜線部が開口部）位置で固定され、この流路入口と連通した流路に洗浄水が供給される。弁体を真下から見ると、弁体を洗浄水が通過する位置に設けた開口部２８が所定の流路入口と一致するように、上部係合部３１を設定している。
【００３４】
上部係合部３１は、凸状の輪郭形状が回転方向に傾斜した形状になっており、上昇しながら、弁体を所定角度だけ回転させる。続いて洗浄ポンプ８を一旦停止すると、弁体を下方から押し上げていた洗浄水の圧力が作用しなくなることから、弁体はその自重で降下するが、この際、下部係合部３２は、相対する勘合部との傾斜面に沿って所定角度回転しながら降下し、所定位置で停止する。再び洗浄ポンプ８を運転すると、上部係合部３１は次の勘合部と係合され、弁体は回転しながら上昇し、次の流路入口と連通される。このように、洗浄ポンプ８を断続的に運転することで、洗浄水が流れる洗浄流路入口を順次切り換
えることができる。したがって、モータ等のアクチュエータで弁体を切り換える方法と比較してコンパクトに構成でき、流路切り換え手段を洗浄槽３内に設置することができる。
【００３５】
また、第２の弁体２７は、内部流路を切り換えた後、第２の洗浄ノズル１３と一緒に回転するので、洗浄ポンプ８の駆動停止時における第２の洗浄ノズル１３の内部流路入口と第２の弁体２７の相対的位置関係が常に一定となり、より確実に流路を切り換えることができる。
【００３６】
図１に示したように、第１の洗浄ノズル１２及び第２の洗浄ノズル１３から噴射された洗浄水は、被洗浄物４を洗浄した後、再び排水口１４に戻る。この際、被洗浄物４から脱落した残さい等は洗浄水とともに残さいフィルター１６に流入し、フィルターを通過できない大きさの残さいは残さいフィルター１６に捕集される。
【００３７】
所定時間の洗浄工程を終えると、汚れを含む洗浄水は機外に排出され、新たに洗浄水が供給されてすすぎ工程が行われる。洗浄ポンプ８を運転し、各洗浄ノズルから再び洗浄水を噴射して、洗剤や残さい等の付着した被洗浄物４のすすぎを行う。所定時間運転した後、洗浄水を排出し、再び洗浄水を供給するという動作を繰り返し、このすすぎ工程は連続して３回程度行う。最後に、洗浄水を食器洗い乾燥機本体１外に排出して、すすぎ工程は終了する。つづいて乾燥工程を行い、所定時間運転した後、運転を終了する。
【００３８】
したがって、本発明の食器洗い乾燥機によれば、第２の洗浄ノズル１３の第１の内部流路入口２３及び第２の内部流路入口２４と、第２の弁体２７の相対的な位置関係が常に所定の位置に定まるので、流路の切り換えが確実に、安定して動作できる。したがって、切り換え部のコンパクト化が図れ、下かご５及び上かご６の被洗浄物４の容量やセット性を損ねることなく、洗浄槽３の中央部に上下に洗浄水を噴射可能な第２の洗浄ノズル１３を設置できる。更に、第２の弁体２７で切り換えて噴射するので、噴射方向を増やすために噴射口の数を増やしても開口面積が大きくなることがないので、コンパクトな構成で必要な洗浄水圧を保つことができる。
【００３９】
また、上かご６の被洗浄物４に対しても高圧の洗浄水による洗浄が可能で、かつ、下かご５の被洗浄物４に対して、上方からも洗浄水を噴射することができるので、洗浄性能を高めることができる。さらに、第２の洗浄ノズル１３の噴射口をすべて上方に向けたとしても、上かご６の被洗浄物４の洗浄性を向上することができるし、その落下してくる洗浄水で下かご５の被洗浄物４を洗浄することができる。
【００４０】
また、図６は、第２の洗浄流路１１に、洗浄水を噴射する第３の噴射口３４を設けた構成の断面図である。図６において、第２の洗浄流路１１は、洗浄水を上方に流送する垂直流路１１ａを洗浄槽３内の背部に配設し、この垂直流路１１ａに略前方に向けて洗浄水を噴射する複数の第３の噴射口３４を備えている。洗浄ポンプ８の駆動により、第１の弁体９が、第２の洗浄流路１１を洗浄ポンプ８と連通させる際、加圧された洗浄水が、上方の第２の洗浄ノズル１３に流送される途中で、第３の噴射口３４から、主に下かご５の被洗浄物４の側方、上方へ、また、上かご６の下方に向けて噴射される。これは、第２の洗浄ノズル１３の内部流路に設けられた第１の噴射口２５及び第２の噴射口２６が切り換わり、同時には噴射されないため、各内部流路に設ける噴射口の数、開口面積を少なくできるので、噴射口の数を第２の洗浄流路１１上に増やしても水圧を落とさずに噴射できることに加えて、立体的に広範囲に洗浄水を噴射して被洗浄物４を洗浄でき、洗浄性能を高めることができる。
【００４１】
また、図７において、下かご５と上かご６の間に設けられた第２の洗浄ノズル１３に洗浄水を供給するため、第２の洗浄流路１１は、洗浄槽３内の背部から略水平前方に延出さ
せた上部水平流路１１ｂが下かご５と上かご６との間に配置された構成になっている。したがって、第２の洗浄流路１１と、回転する第２の洗浄ノズル１３の軌跡は、上方もしくは下方で重なってしまい、上部水平流路１１ｂの下に設置された被洗浄物４に洗浄水があたりづらくなる。
【００４２】
そこで、図７に示すように、第２の洗浄ノズル１３の下方に第２の洗浄流路１１を配置する場合、第２の洗浄流路１１の上部水平流路１１ｂに、第２の洗浄ノズル１３とは反対側（図７の構成の場合は下方）に第４の噴射口３５を設けてもよい。第２の洗浄ノズル１３が下方に洗浄水を噴射する際、第２の洗浄流路１１に洗浄水が衝突してしまい、その下に設置された被洗浄物４に洗浄水があたらないが、第２の洗浄流路１１の上部水平流路１１ｂに、第２の洗浄ノズル１３とは反対側に第４の噴射口３５を設けていることで、下かご５にセットされた被洗浄物４に対して、均一に効率よく洗浄水を噴射し、洗浄性能を向上することができる。
【００４３】
また、図８で示したように、第１の内部流路２１と第２の内部流路２２を、第２の洗浄ノズル１３内で上下に分割して設ける構成としてもよい。この構成によれば、洗浄ノズルの流路幅を狭くすることができ、その結果として洗浄ノズルの外形幅を狭くすることができるので、第２の洗浄ノズル１３の上面に残留する洗浄水が少なくなる。したがって、すすぎ性能が上がる。また、第２の洗浄ノズル１３から噴射した洗浄水をすばやく排水口１４から洗浄ポンプ８に回収することができるので、洗浄ポンプ８のエアがみに対する余裕度が大きくなる。したがって、洗浄槽３に溜まる洗浄水を少なくしても、洗浄ポンプ８がエアがみすることなく、洗浄ノズルからの噴射圧を確保できるので、節水効果と洗浄性能の向上を図れる。
【００４４】
更に、第１の洗浄ノズル１２からの噴流が第２の洗浄ノズル１３で阻まれることが少なくなり、上かご６まで十分に洗浄水を噴射できる。したがって、洗浄槽３内を広範囲に均一に洗浄することができ、洗浄性能が向上する。
【００４５】
また、主に上かご６に向かって噴射する第１の噴射口２５の開口面積を小さくし、下かご５に向かって上方から噴射する第２の噴射口２６の開口面積を大きくすることで、第２の洗浄ノズル１３の上方へ噴射する洗浄水の圧を下方へ噴射する洗浄水の圧より高く、下方へ噴射する洗浄水の流量を上方へ噴射する洗浄水の流量より大きく設定してもよい。上かご６にセットされた被洗浄物４に対しては、汚れを十分に取れる機械力を与えることで洗浄性能を向上し、また、下かご５にセットされた被洗浄物４に対しては低圧でも大流量を噴射することで、下かご５のすすぎ性能を向上させることで、効果的な洗浄を行うことができる。ここで、噴射口の開口面積は、同じ流路に設けられた噴射口トータルの開口面積であって、噴射口の数を増減しても同様の効果が得られる。
【００４６】
また、第１の洗浄ノズル１２が、第２の洗浄ノズル１３と同じ構成で、それぞれ複数の噴射口を有する第３の洗浄流路と第４の洗浄流路を有し、洗浄流路を切り換える弁体が、第１の洗浄ノズル１２に内蔵された構成としてもよい。第１の洗浄ノズル１２から噴射される洗浄水の噴射口数が多くなるので、特に下かご５にセットされた被洗浄物４に対して、あらゆる方向から洗浄水を噴射することができる。また、第１の洗浄ノズル１２の回転方向を右回転、左回転と切り換えることで、被洗浄物４に対して、あらゆる角度から洗浄水を噴射することができるので、洗浄性能の向上を図ることができる。
【００４７】
なお、上記の図６〜図８に示した構成は、組み合わせて構成することも可能である。
【００４８】
（実施の形態２）
図９は、本発明の第２の実施の形態の食器洗い乾燥機の主要断面図である。図９におい
て、上方に噴射口３９を設けた内部流路４０に洗浄水が流れたことを検知できる検知手段４１と、検知手段４１から送られる情報を元に、洗浄ポンプ４２の動作、停止を行う制御手段４３を備えた構成としている。その他の構成は、実施の形態１と同様の構成であるので説明は省略する。
【００４９】
以上のように、構成された食器洗い乾燥機について、以下その動作、作用を説明する。まず、洗浄ポンプ４２により加圧された洗浄水は、第１の弁体４４及び第２の弁体４５により、洗浄流路を、第１の洗浄ノズル４６からの噴射、第２の洗浄ノズル４７の上方への噴射、第２の洗浄ノズル４７の下方への噴射と切り換える。第２の洗浄ノズル４７の上方へ噴射する際、検知手段４１により内部流路４０内の洗浄水の流れを検知する。
【００５０】
ここで、検知手段４１は、噴流が洗浄槽５１や食器かごに設けられたガードやリブにあたるように構成し、そのエネルギーや振動を検知する。また、各洗浄流路や噴射口の圧力損失を変えることで、洗浄ポンプ４２の動作点、つまり洗浄ポンプ４２の吐出部の圧力、流量が変化する。この際の洗浄ポンプ４２のモータ回転数や電流の変化、波形の変化で検知してもよい。また、内部流路４０に赤外線センサを設けてもよい。また、第２の洗浄ノズル４７の回転数を検知するため、前記した赤外線センサの受光部やマグネット等を洗浄ノズル側に設けてもよい。この場合、第２の洗浄ノズル４７の回転数は、上方噴射の時と下方噴射の時で異なるように噴射口を調整する。
【００５１】
この検知手段４１により、第１の洗浄ノズル４６、第２の洗浄ノズル４７により、下かご４８もしくは上かご４９のどちらを重点的に洗浄しているかがわかる。つまり、第１の洗浄ノズル４６からの噴射時と、第２の洗浄ノズル４７の下方への噴射時は、下かご４８を重点的に洗い、第２の洗浄ノズル４７の上方へ噴射する際は、上かご４９を重点的に洗うものである。
【００５２】
次に、この検知手段４１の情報が制御手段４３に送られ、制御手段４３により、使用者があらかじめ被洗浄物５０のかごへのセット状態で決めた方を重点的に洗うように、洗浄ポンプ４２を駆動、停止させて流路を切り換える。また、制御手段４３により、重点的に洗う方の時間を長くし、他方も時間は短いが噴射してもよい。これは、重点的に洗浄しないかごにも、少しは被洗浄物５０をセットする場合もあるし、被洗浄物５０から除去された汚れが洗浄槽５１等に付着する場合もあるからである。
【００５３】
また、ここでは制御手段４３により洗浄ポンプ４２を駆動、停止するとしたが、例えば、モータ等のアクチュエータが小型で防水機構を設けたものであれば、このようなアクチュエータで弁体を動作して所定の洗浄流路に切り換えてもよい。
【００５４】
また、被洗浄物５０の設置状態をカメラ等で検知してもよい。セット状態を検知することで、検知手段４１と制御手段４３により、被洗浄物５０に応じて洗浄ノズルからの噴射や時間を調整できる。
【００５５】
以上のように、本実施の形態においては、上方に噴射口３９を設けた内部流路４０に洗浄水が流れたことを検知できる検知手段４１と、検知手段４１から送られる情報を元に、洗浄ポンプ４２の動作、停止を行う制御手段４３を備えた構成とすることにより、下かご４８と上かご４９を選択的に洗浄することが可能となるので、不要な部分への噴射や洗浄時間も短縮でき、被洗浄物５０の容量により、給水量やすすぎ回数等を減らすことができる。したがって、洗浄性能の向上、省エネ、節水を実現することができる。
【００５６】
本発明は、食器洗い乾燥機の洗浄方式に関するものであり、食器洗い乾燥機本体１の形状や大きさ、扉２の開閉方式、食器の配置、個々の部品の配置等を限定するものではない
。
【産業上の利用可能性】
【００５７】
以上のように、本発明にかかる食器洗い乾燥機は、洗浄流路を確実に安定して切り換えることで、多数の噴射口から洗浄水を噴射することが可能となり、洗浄性能を高めることができるので、食器以外の洗浄機にも適用できる。更に、高密度で、さらに重点的に洗浄水を噴射することが可能となり、節水、省エネも向上することができる。
【符号の説明】
【００５８】
３，５１  洗浄槽
５，４８  下かご
６，４９  上かご
８，４２  洗浄ポンプ
９，４４  第１の弁体
１０  第１の洗浄流路
１１  第２の洗浄流路
１１ａ  垂直流路
１１ｂ  上部水平流路
１２，４６  第１の洗浄ノズル
１３，４７  第２の洗浄ノズル
２０  回転軸
２１  第１の内部流路
２２  第２の内部流路
２５  第１の噴射口
２６  第２の噴射口
２７，４５  第２の弁体
３４  第３の噴射口
３５  第４の噴射口
４０  内部流路
４１  検知手段
４３  制御手段
【図１】
2012213542.tif 000003
【図２】
2012213542.tif 000004
【図３】
2012213542.tif 000005
【図４】
2012213542.tif 000006
【図５】
2012213542.tif 000007
【図６】
2012213542.tif 000008
【図７】
2012213542.tif 000009
【図８】
2012213542.tif 000010
【図９】
2012213542.tif 000011
【図１０】
2012213542.tif 000012
【図１１】
2012213542.tif 000013